【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
少なくとも１つの端を規定するパネルと、
前記パネルの前記少なくとも１つの端に沿って配された少なくとも１つの検知器と、
可変の距離からおよび可変の角度で、前記パネル上に、少なくとも１つの電磁放射のビームを向ける働きをする電磁放射ビーム送信器と、
前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも２つの出力表示を提供する働きをする検知器出力処理回路と、
を備えており、
前記パネルは、前記少なくとも１つの検知器による検知のために、該パネルに衝突する前記１つのビームから該パネルの前記少なくとも１つの端へ、電磁放射を伝える働きをしており、前記パネルは、該パネルの中を通る前記電磁放射が進んだ距離の関数として、前記１つの端へ該パネルの中を通る該電磁放射を概ね減衰させる働きをしており、それによって前記少なくとも１つの検知器は、少なくとも１つの出力を提供する働きをするインターフェース装置。
【請求項２】
前記パネルが、ディスプレイを備えている請求項１に記載のインターフェース装置。
【請求項３】
前記パネルが、
携帯電話のディスプレイパネル、
ハンドヘルドコンピュータ機器のディスプレイパネル、及び
テレビのディスプレイパネル
の中の少なくとも１つを備えている請求項１に記載のインターフェース装置。
【請求項４】
前記パネルが、入力パッドパネルを備えている請求項１に記載のインターフェース装置。
【請求項５】
前記少なくとも１つの検知器が、検知器の概ね直線配列を備えている請求項１から４の何れか１項に記載のインターフェース装置。
【請求項６】
前記電磁放射ビーム送信器が、
概ね円錐形のビーム、
多数のビーム、
少なくとも１つの概ね平行なビーム、
概ね非対称な断面を有する少なくとも１つのビーム
概ねピラミッドの形状を有する少なくとも１つのビーム
概ね多角形の断面を有する少なくとも１つのビーム
変調したビーム
可視光のビーム、及び
非可視の電磁放射のビーム
の中の少なくとも１つを提供する働きをする請求項１から５の何れか１項に記載のインターフェース装置。
【請求項７】
また、前記少なくとも１つの検知器の少なくとも１つの出力を受け取り、且つ、
前記パネル上における前記少なくとも１つの電磁放射ビームの衝突により定められる少なくとも１つの衝突スポットにおける位置、方向、形状および寸法の少なくとも３つの出力表示、
前記パネル上における前記少なくとも１つの電磁放射ビームの衝突により定められる少なくとも１つの衝突スポットにおける位置、方向、形状および寸法の出力表示、
前記電磁放射ビーム送信器の位置および角度方向の少なくとも１つの出力表示、
前記電磁放射ビーム送信器の位置および角度方向の出力表示、
前記電磁放射ビーム送信器の位置および角度方向の少なくとも１つの出力表示であって、前記位置が、前記パネルの面と、前記電磁放射ビーム送信器のビーム起点が位置付けられている、前記パネルと平行な面、との間の該パネルの面と垂直な線に沿ったＺ−距離として定められている出力表示、
前記電磁放射ビーム送信器の位置および角度方向の少なくとも１つの出力表示であって、前記位置が、前記電磁放射ビーム送信器のビーム起点と、前記パネル上の前記ビームの衝突位置の中心との間のポイント・トウ・ポイント距離として定められている出力表示、及び
前記電磁放射ビーム送信器の軌跡の出力表示
の中の１つを提供する働きをする検知器出力処理回路を備えている請求項１から６の何れか１項に記載のインターフェース装置。
【請求項８】
前記パネル上の前記ビームの衝突が、概ね楕円形の衝突スポットを備えている請求項１から７の何れか１項に記載のインターフェース装置。
【請求項９】
また、前記楕円形の衝突スポットの長軸と短軸との比を決定し、それによって前記ビームと前記パネルとの間の交差の角度を決定する機能、及び
前記パネル上の前記ビームの衝突により定められた衝突スポット上の異なる位置での前記電磁放射の強度における検知された変化を用いて、それによって前記ビームと前記パネルとの間の交差の角度の決定を支援する機能
の中の少なくとも１つの機能を実行する働きをする解析回路を備えている請求項８に記載のインターフェース装置。
【請求項１０】
少なくとも１つの端を規定するパネルと、該パネルの前記少なくとも１つの端に沿って配された少なくとも１つの検知器と、可変の距離からおよび可変の角度で、前記パネル上に、少なくとも１つの電磁放射のビームを向ける働きをする電磁放射ビーム送信器を提供することと、
前記電磁放射ビーム送信器から前記パネル上に、前記電磁放射のビームを向け、それによって少なくとも１つの衝突スポットを生成することと、
前記少なくとも１つの衝突スポットから、前記パネルの前記少なくとも１つの端へ、電磁放射を伝えるために該パネルを用いることであって、該パネルは、該パネルの中を通る前記電磁放射が進んだ距離の関数として、前記少なくとも１つの端へ該パネルの中を通る該電磁放射を概ね減衰させる働きをすることと、
前記少なくとも１つの検知器により、前記少なくとも１つの端へ前記パネルにより伝えられる前記電磁放射を検知することと、
前記可変の距離および前記可変の角度を決定するために、前記少なくとも１つの検知器の出力を用いることと、
を備えているインターフェース方法。
【請求項１１】
前記パネルを提供することが、ディスプレイを提供することを含んでいる請求項１０に記載のインターフェース方法。
【請求項１２】
前記パネルを提供することが、
携帯電話のディスプレイパネル、
ハンドヘルドコンピュータ機器のディスプレイパネル、及び
テレビのディスプレイパネル
の中の少なくとも１つを提供することを含んでいる請求項１０に記載のインターフェース方法。
【請求項１３】
前記パネルを提供することが、入力パッドパネルを提供することを含んでいる請求項１０に記載のインターフェース方法。
【請求項１４】
前記少なくとも１つの検知器を提供することが、概ね直線配列の検知器を提供することを含んでいる請求項１０から１３の何れか１項に記載のインターフェース方法。
【請求項１５】
前記電磁放射ビーム送信器を提供することが、
概ね円錐形のビーム、
多数のビーム
少なくとも１つの概ね平行なビーム
概ね非対称な断面を有する少なくとも１つのビーム
概ねピラミッドの形状を有する少なくとも１つのビーム
概ね多角形の断面を有する少なくとも１つのビーム
変調したビーム
可視光のビーム、及び
非可視の電磁放射のビーム
の中の少なくとも１つを提供する働きをする電磁放射ビーム送信器を提供することを含んでいる請求項１０から１４の何れか１項に記載のインターフェース方法。
【請求項１６】
また、前記少なくとも１つの検知器の少なくとも１つの出力を受け取り、且つ、
前記パネル上における前記少なくとも１つの電磁放射ビームの衝突により定められる少なくとも１つの衝突スポットにおける位置、方向、形状および寸法の少なくとも１つの出力表示、
前記パネル上における前記少なくとも１つの電磁放射ビームの衝突により定められる少なくとも１つの衝突スポットにおける位置、方向、形状および寸法の少なくとも２つの出力表示、
前記パネル上における前記少なくとも１つの電磁放射ビームの衝突により定められる少なくとも１つの衝突スポットにおける位置、方向、形状および寸法の少なくとも３つの出力表示、
前記パネル上における前記少なくとも１つの電磁放射ビームの衝突により定められる少なくとも１つの衝突スポットにおける位置、方向、形状および寸法の出力表示、
前記電磁放射ビーム送信器の位置および角度方向の少なくとも１つの出力表示、
前記電磁放射ビーム送信器の位置および角度方向の出力表示、
前記電磁放射ビーム送信器の位置および角度方向の少なくとも１つの出力表示であって、前記位置が、前記パネルの面と、前記電磁放射ビーム送信器のビーム起点が位置付けられている、前記パネルと平行な面、との間の該パネルの面と垂直な線に沿ったＺ−距離として定められている出力表示、
前記電磁放射ビーム送信器の位置および角度方向の少なくとも１つの出力表示であって、前記位置が、前記電磁放射ビーム送信器のビーム起点と、前記パネル上の前記ビームの衝突位置の中心との間のポイント・トウ・ポイント距離として定められている出力表示、及び
前記電磁放射ビーム送信器の軌跡の出力表示
の中の少なくとも１つを提供する働きをする検知器出力処理回路を提供することを備えている請求項１０から１５の何れか１項に記載のインターフェース方法。
【請求項１７】
また、前記パネル上の前記ビームの衝突による概ね楕円形の衝突スポットを提供することを備えている請求項１０から１６の何れか１項に記載のインターフェース方法。
【請求項１８】
また、前記ビームと前記パネルとの間の交差の角度を決定するために、前記楕円形の衝突スポットの長軸と短軸との比を決定する機能、及び
前記ビームと前記パネルとの間の交差の角度の決定を支援するために、前記パネル上の前記ビームの衝突により定められた衝突スポット上の異なる位置での、前記電磁放射の強度における検知された変化を用いる機能
の中の少なくとも１つの機能を実行する働きをする解析回路を提供することを備えている請求項１７に記載のインターフェース方法。